(57)【要約】【課題】小型化を図ることができながら、筐体に現像剤を充填するための筒部材に対して、蓋部材を確実に組み付けることのできるカートリッジを提供すること。【解決手段】  現像カートリッジ１は、トナーを充填するための筒部６５を有する現像フレーム２と、筒部６５に装着され、筒部６５を閉鎖するトナーキャップ５５とを備え、現像フレーム２は、トナーキャップ５５の装着方向と直交する方向に沿って、筒部６５の内面よりも内方に突出するフレーム凸部７１を備え、トナーキャップ５５は、装着方向と直交する方向に沿って、トナーキャップ５５の外面から窪み、筒部６５に装着されるときにフレーム凸部７１と係合する窪部１００を備えている。【選択図】図９
2015087674.tif 000002
【特許請求の範囲】
【請求項１】
現像剤を充填するための筒部材を有する筐体と、
前記筒部材に装着され、前記筒部材を閉鎖する蓋部材と
を備え、
前記筐体は、前記蓋部材の装着方向と直交する方向に沿って、前記筒部材の内面よりも内方に突出する第１凸部を備え、
前記蓋部材は、前記装着方向と直交する方向に沿って、前記蓋部材の外面から窪み、前記筒部材に装着されるときに前記第１凸部と係合する窪部を備えている
ことを特徴とする、カートリッジ。
【請求項２】
前記蓋部材は、前記装着方向と直交する方向に沿って、前記蓋部材の外面から突出する第２凸部を備え、
前記筐体は、前記蓋部材が前記筒部材に装着されるときに前記第２凸部と係合する係合部を備えている
ことを特徴とする、請求項１に記載のカートリッジ。
【請求項３】
前記係合部は、前記装着方向と直交する方向に沿って、前記筒部材の内面よりも窪む段差部、および／または、前記筒部材と前記筐体との接続部分からなる角部であることを特徴とする、請求項２に記載のカートリッジ。
【請求項４】
前記窪部と前記第２凸部とは、前記装着方向において、互いにずれて配置されていることを特徴とする請求項２または３に記載のカートリッジ。
【請求項５】
前記蓋部材は、前記装着方向の下流端部から上流に向かって切り欠かれる切欠溝を有していることを特徴とする、請求項２ないし４のいずれか一項に記載のカートリッジ。
【請求項６】
前記蓋部材は、前記筒部材に装着された状態で、前記筒部材の外面よりも外方に突出し、前記前記筐体に固定される固定部を備え、
前記蓋部材において、前記窪部と前記第２凸部とは、前記装着方向から投影したときに、前記固定部を通り、前記蓋部材を二分する仮想線に対して、非線対称となるように配置されている
ことを特徴とする、請求項２ないし５のいずれか一項に記載のカートリッジ。
【請求項７】
前記筐体を前記装着方向から見たときに、前記筒部材の内面において、前記第１凸部が配置されている領域が、前記係合部が配置されている領域よりも少ないことを特徴とする、請求項２ないし６のいずれか一項に記載のカートリッジ。
【請求項８】
前記第１凸部は、前記装着方向の下流に向かうにつれて、前記筒部材の内方に向かって傾斜していることを特徴とする、請求項１ないし７のいずれか一項に記載のカートリッジ。
【請求項９】
前記蓋部材の前記装着方向の下流端部は、前記装着方向と直交する方向に沿って面一であることを特徴とする、請求項１ないし８のいずれか一項に記載のカートリッジ。
【請求項１０】
前記筒部材の肉厚は、前記筒部材が連結されている前記筐体の壁の厚みよりも薄いことを特徴とする、請求項１ないし９のいずれか一項に記載のカートリッジ。
【請求項１１】
前記筐体に対して組み付けられる機能部品を備え、
前記機能部品は、前記筒部材に対して、前記装着方向と直交する方向に隣接するように配置されている
ことを特徴とする、請求項１ないし１０のいずれか一項に記載のカートリッジ。
【発明の詳細な説明】
【技術分野】
【０００１】
本発明は、電子写真方式が採用される画像形成装置に用いられるカートリッジに関する。
【背景技術】
【０００２】
従来より、トナーを収容するカートリッジが着脱可能に装着される電子写真方式のプリンタが知られている。
【０００３】
このようなプリンタに装着されるカートリッジとして、内部にトナーを収容し、トナー充填口を有するトナー収容容器と、トナー充填口に対して装着されるトナーキャップとを備えるトナー補給容器が知られている（例えば、特許文献１参照）。
【先行技術文献】
【特許文献】
【０００４】
【特許文献１】特開２００２−００６６０７号公報
【発明の概要】
【発明が解決しようとする課題】
【０００５】
しかるに、上記した特許文献１に記載のカートリッジにおいて、トナーキャップをトナー充填口に対して確実に固定しようとすると、トナーキャップが爪を備え、トナー補給容器がトナーキャップの爪と係合される係合部を備える構成が検討される。そして、トナー充填口の大きさを維持したまま、トナー補給容器を小型化しようとした場合には、トナー補給容器が係合部を備えていることにより、トナー補給容器が大型化してしまうという不具合がある。
【０００６】
そこで、本発明の目的は、小型化を図ることができながら、筐体に現像剤を充填するための筒部材に対して、蓋部材を確実に組み付けることのできるカートリッジを提供することにある。
【課題を解決するための手段】
【０００７】
（１）上記した目的を達成するために、本発明のカートリッジは、内部に現像剤を収容するように構成される筐体と、筐体の内部と外部とを連通し、筐体に現像剤を充填するための筒部材と、筒部材に装着され、筒部材を閉鎖する蓋部材と蓋部材の装着方向と直交する方向に沿って、筒部材の内面よりも内方に突出する第１凸部とを備え、蓋部材は、装着方向と直交する方向に沿って、蓋部材の外面から窪み、筒部材に装着されるときに第１凸部と係合する窪部を備えている。
【０００８】
このような構成によれば、蓋部材が筒部材に装着されるときには、蓋部材の窪部が、筒部材の内面よりも内方に突出する第１凸部と係合される。
【０００９】
このように、筒部材の内面よりも内方に突出するように第１凸部が配置されているので、カートリッジの小型化を図ることができながら、蓋部材を筒部材に確実に装着することができる。
【００１０】
また、蓋部材を筒部材に装着するときには、蓋部材の装着方向下流端が、第１凸部と接触するまでは、蓋部材と筒部材との間の抵抗の発生を抑制することができる。
【００１１】
その結果、蓋部材を筒部材に対して容易に装着することができる。
（２）また、蓋部材は、前記装着方向と直交する方向に沿って、前記蓋部材の外面から突出する第２凸部を備え、蓋部材が筒部材に装着されるときに第２凸部と係合する係合部を備えていてもよい。
【００１２】
このような構成によれば、蓋部材は、筒部材に対して装着されるときに、第１凸部と係合される窪部に加え、係合部と係合する第２凸部を備えているので、蓋部材を筒部材に対して確実に装着することができる。
【００１３】
また、蓋部材が第２凸部を備えていることで、蓋部材を筒部材に対して装着するときには、第２凸部が筒部材の内面と当接するように摺擦されるが、窪部が配置されている部分については、抵抗の発生が抑制されているので、蓋部材の全体に第２凸部が備えられている場合と比較して、蓋部材を筒部材に容易に組み付けることができる。
（３）また、係合部は、装着方向と直交する方向に沿って、筒部材の内面よりも窪む段差部、および／または、筒部材と筐体との接続部分からなる角部であってもよい。
【００１４】
このような構成によれば、係合部が、段差部および／または角部であることにより、蓋部材の第２凸部を、係合部に対して確実に係合させることができる。
【００１５】
その結果、蓋部材を筒部材に対して、より確実に装着することができる。
（４）また、窪部と第２凸部とは、装着方向において、互いにずれて配置されていてもよい。
【００１６】
このような構成によれば、窪部と第２凸部とが装着方向において互いにずれて配置されていることにより、蓋部材を筒部材に対して装着するときに、抵抗が発生するタイミングをずらすことができる。
【００１７】
その結果、蓋部材を筒部材に対して装着するときの抵抗を低減することができる。
（５）また、蓋部材は、装着方向の下流端部から上流に向かって切り欠かれる切欠溝を有していてもよい。
【００１８】
このような構成によれば、蓋部材が切欠溝を有していることにより、蓋部材を筒部材に対して装着するときに、抵抗が発生する部分においては、切欠溝の方へ撓ませることができる。
【００１９】
そのため、蓋部材を筒部材に対して装着するときの抵抗を、より低減することができる。
（６）また、蓋部材は、筒部材に装着された状態で、筒部材の外面よりも外方に突出し、筐体に固定される固定部を備え、蓋部材において、窪部と第２凸部とは、装着方向から投影したときに、固定部を通り、蓋部材を二分する仮想線に対して、非線対称となるように配置されていてもよい。
【００２０】
このような構成によれば、固定部が筐体に固定されることにより、蓋部材を筒部材に対して確実に装着することができる。
【００２１】
また、蓋部材を筒部材から離脱させるときには、固定部が筐体に固定された状態であるが、蓋部材における窪部と第２凸部とは、固定部を通り、蓋部材を二分する仮想線に対して、非線対称となっているので、固定部がねじられることにより、ちぎられ、蓋部材が離脱される。
【００２２】
そのため、筐体内の現像剤切れのときには、蓋部材を筒部材から容易に離脱させることができながら、固定部が筐体に固定されたままとなることにより、筐体に対する過去の現像剤充填の有無を確認することができる。
（７）また、筐体を装着方向から見たときに、筒部材の内面において、第１凸部が配置されている領域が、係合部が配置されている領域よりも少なくてもよい。
【００２３】
このような構成によれば、現像剤を筐体内に充填するときに、現像剤の第１凸部への接触を抑制することができる。
【００２４】
そのため、筐体内への現像剤の充填効率を下げることなく、容易に現像剤を充填することができる。
（８）また、第１凸部は、装着方向の下流に向かうにつれて、筒部材の内方に向かって傾斜していてもよい。
【００２５】
このような構成によれば、蓋部材を筒部材に装着するときに、蓋部材が第１凸部と当接することにより発生する抵抗を低減することができる。
【００２６】
そのため、蓋部材を筒部材に対して滑らかに組み付けることができる。
【００２７】
また、現像剤を筐体内に充填するときに、現像剤が第１凸部の傾斜に沿って流入されるので、充填効率の向上を図ることができる。
（９）また、蓋部材の装着方向の下流端部は、装着方向と直交する方向に沿って面一であってもよい。
【００２８】
このような構成によれば、蓋部材を装着したときの装着方向の下流に配置されている部材に対して、蓋部材の装着方向の下流端部全体を近接させることができる。
（１０）また、筒部材の肉厚は、筒部材が連結されている筐体の壁の厚みよりも薄くてもよい。
【００２９】
このような構成によれば、筒部材には、蓋部材が装着され、筒部材の強度を確保することができるので、筒部材の肉厚を薄くして、カートリッジの小型化を図ることができる。
（１１）また、筐体に対して組み付けられる機能部品を備え、機能部品は、筒部材に対して、装着方向と直交する方向に隣接するように配置されていてもよい。
【００３０】
このような構成によれば、筒部材に対して、機能部品を隣接するように配置することで、カートリッジが大型化することを抑制することができる。
【発明の効果】
【００３１】
本発明のカートリッジでは、筐体に現像剤を充填するための筒部材に対して、蓋部材を容易に組み付けることができる。
【図面の簡単な説明】
【００３２】
【図１】図１は、本発明のカートリッジの一実施形態としての現像カートリッジの中央断面図である。
【図２】図２は、図１に示す現像カートリッジを備えるプリンタの中央断面図である。
【図３】図３は、図１に示す現像カートリッジを右上方から見た分解斜視図である。
【図４】図４は、図１に示す現像カートリッジの右側壁を左後方から見た要部斜視図である。
【図５】図５Ａは、図１に示す現像カートリッジの右側面図である。図５Ｂは、図５Ａに示す現像カートリッジにおいて、トナーキャップが取り外された状態の右側面図である。
【図６】図６は、図５ＡのＡ−Ａ断面図であって、現像カートリッジからトナーキャップが取り外された状態を示す。
【図７】図７Ａは、図３に示すトナーキャップを前右方から見た斜視図である。図７Ｂは、図３に示すトナーキャップを前左方から見た斜視図である。図７Ｃは、図３に示すトナーキャップの左側面図である。図７Ｄは、図３に示すトナーキャップの正面図である。
【図８】図８は、図５ＡのＡ−Ａ断面図であって、現像フレームへのトナー充填の説明図である。
【図９】図９は、図５ＡのＡ−Ａ断面図であって、トナーキャップの組み付け作業を説明するための説明図である。
【図１０】図１０は、図５ＡのＡ−Ａ断面図であって、図９に引き続き、トナーキャップの組み付け作業を説明するための説明図である。
【発明を実施するための形態】
【００３３】
１．現像カートリッジの概略
カートリッジの一例としての現像カートリッジ１は、図１に示すように、筐体の一例としての現像フレーム２と、アジテータ３と、供給ローラ５と、現像ローラ４と、層厚規制ブレード６とを備えている。
【００３４】
なお、以下の説明において、現像カートリッジ１の方向に言及するときには、現像ローラ４が配置されている方を、現像カートリッジ１の後方とし、その反対を現像カートリッジ１の前方とする。すなわち、図１の紙面左方が現像カートリッジ１の後方であり、紙面右方が現像カートリッジ１の前方である。また、図１の紙面上方が現像カートリッジ１の上方であり、紙面下方が現像カートリッジ１の下方である。また、現像カートリッジ１を前方から見たときを左右の基準とする。すなわち、図１の紙面手前が現像カートリッジ１の左方であり、紙面奥が現像カートリッジ１の右方である。なお、具体的には、各図において方向を矢印にて示す。
【００３５】
現像フレーム２は、左右方向に延びる略ボックス状であり、現像剤の一例としてのトナーを収容している。また、現像フレーム２の後端部は、前後方向に開放されている。
【００３６】
アジテータ３は、現像フレーム２内の前方部分に配置されている。
【００３７】
供給ローラ５は、現像フレーム２内において、アジテータ３の後下方に配置されている。そして、供給ローラ５は、現像フレーム２に回転可能に支持されている。
【００３８】
現像ローラ４は、供給ローラ５の後上方に配置され、現像フレーム２の後端部に配置されている。現像ローラ４の前下端部は、供給ローラ５の後上端部と圧接している。また、現像ローラ４の上方部分および後方部分は、現像フレーム２から露出している。そして、現像ローラ４は、現像フレーム２に回転可能に支持されている。
【００３９】
層厚規制ブレード６は、現像ローラ４の前上方に配置されている。層厚規制ブレード６の下端部は、現像ローラ４の前端部に接触している。
２．プリンタの全体構成
このような現像カートリッジ１は、図２に示すように、プリンタ１５に装備される。
【００４０】
プリンタ１５は、電子写真方式のモノクロプリンタである。プリンタ１５は、本体ケーシング１６と、給紙部１７と、画像形成部１８とを備えている。
【００４１】
なお、プリンタ１５に関し、方向について言及する場合には、水平方向に載置した状態を基準とし、具体的には、図２中の矢印方向を基準とする。
【００４２】
本体ケーシング１６は、略ボックス形状を有しており、給紙部１７および画像形成部１８を収容している。また、本体ケーシング１６は、カートリッジ開口部１９と、用紙開口部２０とを有している。
【００４３】
カートリッジ開口部１９は、本体ケーシング１６の上端部に配置されており、本体ケーシング１６を上下方向に開放している。カートリッジ開口部１９は、後述するプロセスカートリッジ２５の通過を許容する形状およびサイズを有している。
【００４４】
用紙開口部２０は、本体ケーシング１６の前端部における下方部分に配置されており、本体ケーシング１６の前端部を前後方向に貫通している。
【００４５】
また、本体ケーシング１６は、トップカバー２１と、給紙カバー２２とを支持している。
【００４６】
トップカバー２１は、カートリッジ開口部１９を上方から被覆するように、本体ケーシング１６の上端部に配置されている。また、トップカバー２１は、排紙トレイ２３を有している。排紙トレイ２３は、トップカバー２１の前方部分が下方に向かって凹む凹部であって、前上方に向かって開放される側面視略Ｕ字状を有している。
【００４７】
そして、トップカバー２１は、後端部を支点として、カートリッジ開口部１９を閉鎖する閉鎖位置と、カートリッジ開口部１９を開放する開放位置との間を揺動するように構成されている。なお、図２では、閉鎖位置にあるトップカバー２１を実線にて示し、閉鎖位置と開放位置との間にあるトップカバー２１を仮想線にて示す。
【００４８】
給紙カバー２２は、用紙開口部２０を前方から被覆するように、本体ケーシング１６の前端部に配置されている。
【００４９】
そして、給紙カバー２２は、その下端部を支点として、用紙開口部２０を閉鎖する閉鎖位置と、用紙開口部２０を開放する開放位置とに揺動可能に構成されている。なお、図２において、閉鎖位置ある給紙カバー２２を実線にて示し、閉鎖位置と開放位置との間にある給紙カバー２２を仮想線にて示す。
【００５０】
給紙部１７は、用紙Ｐを画像形成部１８に給紙するように構成されている。給紙部１７は、本体ケーシング１６内の底部に配置されている。給紙部１７は、用紙載置部２４を備えている。
【００５１】
用紙載置部２４は、本体ケーシング１６の下端部に配置されている。
【００５２】
画像形成部１８は、本体ケーシング１６内において、給紙部１７の上方に配置されている。
【００５３】
画像形成部１８は、プロセスカートリッジ２５と、スキャナユニット２６と、定着ユニット２７とを備えている。
【００５４】
プロセスカートリッジ２５は、トップカバー２１が開放位置に配置された状態で、カートリッジ開口部１９を介して、本体ケーシング１６に対して装着または離脱するように構成されている。そして、プロセスカートリッジ２５は、本体ケーシング１６に装着された状態において、給紙部１７の後方部分の上方に配置されている。
【００５５】
プロセスカートリッジ２５は、ドラムカートリッジ２８と、上記の現像カートリッジ１とを備えている。
【００５６】
ドラムカートリッジ２８は、感光ドラム２９と、転写ローラ３０と、スコロトロン型帯電器３１とを備えている。
【００５７】
感光ドラム２９は、ドラムカートリッジ２８の後方部分に配置されており、回転可能に構成されている。
【００５８】
転写ローラ３０は、感光ドラム２９に対して後方に配置されており、回転可能に構成されている。転写ローラ３０の前端部は、感光ドラム２９の後端部に圧接している。
【００５９】
スコロトロン型帯電器３１は、感光ドラム２９の前上方に間隔を空けて配置されている。
【００６０】
現像カートリッジ１は、ドラムカートリッジ２８に対して装着または離脱するように構成されている。これによって、現像カートリッジ１は、本体ケーシング１６に対して装着または離脱するように構成されている。
【００６１】
現像カートリッジ１は、ドラムカートリッジ２８に装着された状態で、感光ドラム２９の前下方に配置されている。そして、現像カートリッジ１の現像ローラ４の後上端部は、感光ドラム２９の前下端部に接触している。
【００６２】
スキャナユニット２６は、本体ケーシング１６内において、プロセスカートリッジ２５の前方に配置されている。スキャナユニット２６は、感光ドラム２９に向けて、画像データに基づくレーザービームＬを出射し、感光ドラム２９の周面を露光する。
【００６３】
定着ユニット２７は、本体ケーシング１６内において、プロセスカートリッジ２５の後方部分の上方に配置されている。定着ユニット２７は、加熱ローラ３２と、加圧ローラ３３とを備えている。加圧ローラ３３は、加熱ローラ３２に対して後上方に配置されている。加圧ローラ３３の前下端部は、加熱ローラ３２の後上端部に圧接している。
【００６４】
このようなプリンタ１５では、まず、作業者が、給紙カバー２２を開放位置に配置して、用紙開口部２０を開放する。そして、用紙Ｐの後方部分を、用紙開口部２０を介して、本体ケーシング１６内に導入する。
【００６５】
これによって、用紙Ｐの後方部分は、本体ケーシング１６内において、用紙載置部２４の上面にスタックされ、用紙Ｐの前方部分は、本体ケーシング１６外において、給紙カバー２２の上面にスタックされる。
【００６６】
次いで、図示しない制御部の制御により画像形成動作が開始すると、スコロトロン型帯電器３１は、感光ドラム２９の表面を一様に帯電する。その後、スキャナユニット２６は、感光ドラム２９の表面を露光する。これにより、画像データに基づく静電潜像が、感光ドラム２９の表面に形成される。
【００６７】
一方、現像カートリッジ１のアジテータ３は、現像フレーム２内のトナーを撹拌し、撹拌されたトナーを供給ローラ５に供給する。供給ローラ５は、供給されたトナーを、現像ローラ４に向かって搬送し、現像ローラ４に供給する。このとき、トナーは、現像ローラ４と供給ローラ５との間で摩擦帯電され、現像ローラ４の周面に担持される。層厚規制ブレード６は、現像ローラ４の周面に担持されたトナーを一定の厚みに規制する。
【００６８】
そして、現像ローラ４は、担持するトナーを、感光ドラム２９の表面上の静電潜像に供給する。これにより、トナー像が、感光ドラム２９の表面上に担持される。
【００６９】
また、ピックアップローラ３４は、回転することにより、用紙載置部２４にスタックされた用紙Ｐを、給紙ローラ３５と給紙パッド３６との間に向かって送り出す。そして、給紙ローラ３５は、回転により、給紙ローラ３５と給紙パッド３６との間に送られた用紙Ｐを１枚ずつ捌く。その後、給紙ローラ３５は、回転により、所定のタイミングで１枚ずつ、上下方向に延びる給紙パス３７に搬送し、感光ドラム２９と転写ローラ３０との間に給紙する。
【００７０】
次いで、転写ローラ３０は、用紙Ｐが感光ドラム２９と転写ローラ３０との間を通過するときに、感光ドラム２９上のトナー像を、転写バイアスによって用紙Ｐに転写する。
【００７１】
その後、用紙Ｐは、加熱ローラ３２と加圧ローラ３３との間に向かって搬送される。そして、加熱ローラ３２および加圧ローラ３３は、用紙Ｐが加熱ローラ３２と加圧ローラ３３との間を通過するときに、用紙Ｐを加熱および加圧する。このとき、用紙Ｐ上のトナー像は、用紙Ｐに熱定着される。その後、用紙Ｐは、１対の排紙ローラ３８の間に向けて搬送され、１対の排紙ローラ３８は、トップカバー２１の排紙トレイ２３に、用紙Ｐを排紙する。
【００７２】
このように用紙Ｐは、用紙載置部２４から給紙され、感光ドラム２９と転写ローラ３０との間を通過し、次いで、加熱ローラ３２と加圧ローラ３３との間を通過した後、排紙トレイ２３に排紙されるように、側面視略Ｃ字状の搬送パスを搬送される。
３．現像カートリッジの詳細
（１）現像フレーム
現像フレーム２は、図１および図３に示すように、左側壁４７と、右側壁４８と、前壁４９と、下壁５０と、上壁５１とを備えている。
【００７３】
左側壁４７は、現像フレーム２の左端部に配置されている。左側壁４７は前後方向に延びる側面視略矩形の板状を有している。左側壁４７の左面には、現像ローラ４、供給ローラ５、および、アジテータ３を駆動するための図示しないギアトレインと、ギアトレインを被覆するためのギアカバー５３とが配置されている。
【００７４】
右側壁４８は、現像フレーム２の右端部に配置されており、左側壁４７に対して右方に間隔を空けて向かい合うように配置されている。また、右側壁４８は、左側壁４７と同様に、側面視略矩形の板状を有している。詳しくは後述するが、右側壁４８の左右方向外方面には、現像ローラ４および供給ローラ５に電力を供給するための電極部材５４と、トナーキャップ５５が組み付けられている。
【００７５】
前壁４９は、現像フレーム２の前端部に配置されており、左側壁４７および右側壁４８の前端部間に架設されている。前壁４９は、左右方向に延びる正面視略矩形の板状を有している。
【００７６】
下壁５０は、現像フレーム２の下端部に配置されており、左側壁４７および右側壁４８の下端部間に架設されている。下壁５０は、湾曲部５７と、円弧部５８と、リップ部５９とを一体に有している。
【００７７】
湾曲部５７は、下壁５０の前方部分であって、前壁４９の下端部から連続して後方に向かって延び、かつ、下方に向かって湾曲している。湾曲部５７の内周面における前後方向略中央部分は、図１および図４に示すように、アジテータ３の回転軸を中心とする曲率半径を有する略円弧形状を有している。なお、湾曲部５７の前後方向略中央の上面を、湾曲部中央上面５７Ａとする。
【００７８】
円弧部５８は、湾曲部５７の後方に隣接配置されている。円弧部５８は、上方に向かって開放される側面視略半円弧形状を有している。円弧部５８の内周面は、供給ローラ５の周面に沿っている。そして、円弧部５８の前端部は、湾曲部５７の後端部に接続されている。
【００７９】
リップ部５９は、円弧部５８の後方に隣接配置されており、円弧部５８の後端部から連続して後方に向かって延びている。
【００８０】
上壁５１は、図１および図３に示すように、左右方向に延び、下方に向かって開放される略ボックス形状を有している。上壁５１は、左側壁４７、右側壁４８、および、前壁４９の上方に配置されている。上壁５１は、その周縁部が左側壁４７、右側壁４８、および、前壁４９の上端部に対して、溶着などの方法により固定されている。
（２）右側壁
右側壁４８は、図３および図４に示すように、現像ローラ軸穴６１と、供給ローラ軸穴６２とを備えている。
【００８１】
現像ローラ軸穴６１は、右側壁４８の後端部の上下方向略中央において、右側壁４８を側面視略円形状に貫通され、後上方に向かって開放されている。そして、現像ローラ軸穴６１は、現像ローラ４の回転軸を回転可能に支持している。なお、以下の説明において、現像ローラ４の回転軸を現像ローラ軸Ａ１と記載する。
【００８２】
供給ローラ軸穴６２は、右側壁４８の下端部において、現像ローラ軸穴６１の前下方に配置されている。供給ローラ軸穴６２は、右側壁４８を側面視略矩形状に貫通され、その後上端部は、現像ローラ軸穴６１の前下端部に連通されている。供給ローラ軸穴６２は、供給ローラ５の回転軸を回転可能に支持している。なお、以下の説明において、供給ローラ５の回転軸を供給ローラ軸Ａ２と記載する。
【００８３】
また、右側壁４８は、螺合部６３と、トナー充填口６４と、筒部材の一例としての筒部６５と、支持部６６と、連結部６７と、挿通部６８とを備えている。
【００８４】
螺合部６３は、図３に示すように、現像ローラ軸穴６１の前方、かつ、供給ローラ軸穴６２の上方に配置されている。螺合部６３は、右側壁４８の右面から右方へ突出する略円筒形状を有している。螺合部６３の内周面は、ねじ山を有している。
【００８５】
トナー充填口６４は、右側壁４８の後方半分において、供給ローラ軸穴６２の後方に、現像フレーム２の内部に連通されるように、側面視略円形状に貫通している。トナー充填口６４の前後方向略中央の下端部は、側面視において、下壁５０の湾曲部中央上面５７Ａと一致している。なお、右側壁４８の内面は、図１に示すように、トナー充填口６４の周縁部を境界として、左右方向に段となるようにずれている。具体的には、トナー充填口６４の周縁部、および、トナー充填口６４の前後方向略中央よりも前方の部分を前方部分４８Ａとし、トナー充填口６４の周縁部を除くトナー充填口６４の前後方向略中央よりも後方の部分を後方部分４８Ｂとする。そして、前方部分４８Ａは、後方部分４８Ｂよりも左右方向外方に配置されている。
【００８６】
筒部６５は、図３および図４に示すように、トナー充填口６４の周縁部から右方へ突出する略円筒形状を有している。筒部６５の内径は、トナー充填口６４の直径と同じである。なお、筒部６５の内周における前後方向略中央の下端部を、筒部中央内面６５Ａとする。また、トナー充填口６４の内面と、筒部６５の内面とは面一である。つまり、筒部中央内面６５Ａは、側面視において、下壁５０の湾曲部中央上面５７Ａと一致している。すなわち、筒部６５の前後方向略中央の下端部は、下壁５０の右端部に連結されている。また、筒部６５の肉厚は、図６に示すように、筒部６５が連結されている下壁５０の厚みよりもわずかに薄い。
【００８７】
支持部６６は、図３および図４に示すように、トナー充填口６４および筒部６５の径方向略中央に配置されている。支持部６６は、図６に示すように、その右端部が閉鎖された略円筒形状を有している。支持部６６の右端面における周縁は、左方から右方に向かうにつれて、支持部６６の径方向内方に向かって傾斜している。また、支持部６６は、アジテータ３の回転軸の右端部を回転可能に支持している。
【００８８】
連結部６７は、図４および図５Ｂに示すように、支持部６６の外周面から右側壁４８に向かって、支持部６６の径方向外方に向かって延び、トナー充填口６４および筒部６５の内周面に連結される略棒形状を有している。また、連結部６７は、左方から右方に向かうにつれて、その幅が窄まる断面視略三角形状を有している。連結部６７は、トナー充填口６４の周方向において、互いに１２０°変位するように等間隔に３つ配置されている。より具体的には、トナー充填口６４および筒部６５の内部において、連結部６７は、支持部６６から後下方に向かって延びる第１連結部６７Ａと、前下方に向かって延びる第２連結部６７Ｂと、上方に向かって延びる第３連結部６７Ｃとを備えている。
【００８９】
挿通部６８は、図３および図５Ｂに示すように、筒部６５の前上方に配置されている。挿通部６８は、右側壁４８の右面から右方に突出する略円柱形状を有している。
【００９０】
また、右側壁４８は、図４に示すように、第１凸部の一例としてのフレーム凸部７１と、係合部の一例としての角部７２と、係合部の一例としての段差部７３とを備えている。
【００９１】
フレーム凸部７１は、図４および図５Ｂに示すように、筒部６５の内周面における左端部の下方から、筒部６５の径方向内方に向かって突出している。具体的には、フレーム凸部７１は、左右方向に投影したときに、筒部６５の内周における第１連結部６７Ａと第２連結部６７Ｂとの間の領域に配置されている。つまり、フレーム凸部７１は、左右方向に投影したときに、筒部６５の内周において、略１２０°の範囲に配置されている。
【００９２】
フレーム凸部７１は、図６に示すように、筒部６５の内周面から、筒部６５の径方向内方に向かって突出する略突条を有している。フレーム凸部７１の右面は、左方に向かうにつれて、筒部６５の径方向内方に傾斜している。
【００９３】
角部７２は、図４および図５Ｂに示すように、筒部６５の内周面における左端部の前上方部分である。具体的には、角部７２は、左右方向に投影したときに、筒部６５の内周における第２連結部６７Ｂと第３連結部６７Ｃとの間の領域に配置されている。つまり、角部７２は、左右方向に投影したときに、筒部６５の内周において、略１２０°の範囲に配置されている。
【００９４】
角部７２は、図４に示すように、筒部６５の左端部と、右側壁４８の内面とが連続される部分である。また、言い換えると、角部７２は、筒部６５と右側壁４８との接続部分によって画定されている。
【００９５】
段差部７３は、図４および図５Ｂに示すように、筒部６５の内周面における左端部の後上方部分である。具体的には、段差部７３は、左右方向に投影したときに、筒部６５の内周における第１連結部６７Ａと第３連結部６７Ｃとの間の領域に配置されている。つまり、段差部７３は、左右方向に投影したときに、筒部６５の内周において、略１２０°の範囲に配置されている。
【００９６】
段差部７３は、図４および図６に示すように、筒部６５の左端部と、右側壁４８の内面とが連続されるとともに、トナー充填口６４の周縁部において、右側壁４８の前方部分４８Ａと後方部分４８Ｂとが段となるように左右方向にずれていることにより、画定される段差である。言い換えると、段差部７３は、筒部６５の内面よりも、筒部６５の径方向外方に向かって窪んでいる。
【００９７】
このように、現像フレーム２を左右方向から見たときに、筒部６５の内面において、フレーム凸部７１の配置されている領域は、角部７２と段差部７３とが配置されている領域の和よりも少なくなっている。
【００９８】
そして、右側壁４８の右面には、図３に示すように、機能部品の一例としての電極部材５４が組み付けられるとともに、右側壁４８の筒部６５には、蓋部材の一例としてのトナーキャップ５５が組み付けられる。
（３）電極部材
右側壁４８の右面には、図３および図５Ｂに示すように、機能部品の一例としての電極部材５４が組み付けられている。
【００９９】
電極部材５４は、本体ケーシング１６の図示しない電源から電力を供給され、現像ローラ４に現像バイアスを印加し、供給ローラ５に供給バイアスを印加するように構成されている。
【０１００】
電極部材５４は、左右方向に厚みを有する厚板状を有している。電極部材５４は、側面視略Ｌ字状であり、具体的には、左右方向に投影したときに、右側壁４８における筒部６５よりも後方部分と重なる第１部分７７と、右側壁４８における筒部６５よりも上方部分と重なる第２部分７８とを備えている。
【０１０１】
第１部分７７は、上下方向に延び、その後下端部が後方に向かって膨出する側面視略矩形状を有している。
【０１０２】
第２部分７８は、第１部分７７の前上端部から連続して前方に向かって延びる側面視略矩形状を有している。
【０１０３】
また、電極部材５４は、供給ローラ軸受入部８０と、現像ローラ軸被覆部８１と、係合穴８２とを備えている。
【０１０４】
供給ローラ軸受入部８０は、第１部分７７の前下端部に配置されている。供給ローラ軸受入部８０は、第１部分７７から右方に向かって突出し、その右端部が閉鎖される略円筒形状を有している。供給ローラ軸受入部８０の内径は、供給ローラ軸Ａ２の直径と略同じである。
【０１０５】
現像ローラ軸被覆部８１は、第１部分７７の後方部分であって、供給ローラ軸受入部８０の後上方に配置されている。現像ローラ軸被覆部８１は、第１部分７７から右方に向かって突出する略円筒形状を有している。現像ローラ軸被覆部８１の内径は、現像ローラ軸Ａ１の直径と略同じである。
【０１０６】
係合穴８２は、第１部分７７の前上端部であって、供給ローラ軸受入部８０の上方、かつ、現像ローラ軸被覆部８１の前方に配置されている。係合穴８２は、第１部分７７を側面視略円形状に貫通している。係合穴８２の内径は、螺合部６３の外径と略同じである。
【０１０７】
そして、電極部材５４は、供給ローラ軸受入部８０が供給ローラ軸Ａ２を受け入れ、現像ローラ軸被覆部８１が供給ローラ軸Ａ２を受け入れ、係合穴８２が螺合部６３を受け入れるようにして、右側壁４８に対して組み付けられる。さらに、螺合部６３に対して、ねじ部材８４が螺合されることにより、電極部材５４が、右側壁４８に対して、固定されている。つまり、電極部材５４は、側面視において、筒部６５と隣接するように配置されている。
（４）トナーキャップ
右側壁４８の筒部６５には、図３および図５Ａに示すように、蓋部材の一例としてのトナーキャップ５５が組み付けられる。
【０１０８】
トナーキャップ５５は、樹脂などの弾性を有する材料からなり、図６〜図７Ｄに示すように、本体部８６と、鍔部８７と、固定部８８とを備えている。
【０１０９】
なお、トナーキャップ５５に関し、方向について言及する場合には、トナーキャップ５５が右側壁４８の筒部６５に組み付けられた状態を基準とし、具体的には、図６〜図７Ｄの矢印方向を基準とする。
【０１１０】
本体部８６は、筒部６５に嵌まり、トナー充填口６４と向かい合うことで、トナー充填口６４を閉鎖するように構成されている。本体部８６は、外筒９０と、内筒９１と、端壁９２とを備えている。
【０１１１】
外筒９０は、左右方向に延びる略円筒形状を有している。外筒９０は、複数、すなわち、２つのリング部９５を備えている。
【０１１２】
２つのリング部９５は、トナーキャップ５５を筒部６５に組み付けたときのトナー充填口６４に対するトナーキャップ５５のシール性を向上させるように構成されている。リング部９５は、外筒９０の右方部分における外周面から径方向外方に突出する略円環形状を有している。また、２つのリング部９５は、左右方向に間隔を空けて配置されている。
【０１１３】
内筒９１は、外筒９０の径方向内方に配置されている。内筒９１は、その右端部が閉鎖された略円筒形状を有している。内筒９１の内径は、支持部６６の外径よりも大きい。内筒９１の左右方向寸法は、支持部６６の左右方向寸法よりも長く、外筒９０の左右方向寸法よりも短い。また、左右方向と直交する方向に投影したときに、内筒９１の左端部は、外筒９０の左端部と重なっている。
【０１１４】
端壁９２は、本体部８６の左端部に配置されている。端壁９２は、外筒９０の左端部と、内筒９１の左端部との間に架設されている。端壁９２は側面視略円環形状の板状を有している。また、端壁９２は、本体部８６の左端部において、装着方向と直交する方向に沿って面一である。
【０１１５】
また、本体部８６は、複数、すなわち３つの切欠溝９６を備えている。
【０１１６】
切欠溝９６は、本体部８６の左端部から、本体部８６の左右方向略中央まで、窪むことにより、本体部８６に画定されている。切欠溝９６は、内筒９１の径方向内方から、外筒９０の径方向外方に向かって連通されている。言い換えると、切欠溝９６は、トナーキャップ５５の装着方向の下流端部から上流に向かって、切り欠かれるように窪むことにより画定される溝である。より詳しくは、切欠溝９６は、本体部８６の後下方部分に配置される第１切欠溝９６Ａと、本体部８６の前下方部分に配置される第２切欠溝９６Ｂと、本体部８６の上方部分に配置される第３切欠溝９６Ｃとを備えている。
【０１１７】
また、本体部８６は、第１撓み部９７と、第２撓み部９８と、第３撓み部９９とを備えている。
【０１１８】
第１撓み部９７は、本体部８６の左端部における下方部分に配置されている。第１撓み部９７は、本体部８６の周方向において、第１切欠溝９６Ａと第２切欠溝９６Ｂとの間に画定されている。つまり、第１撓み部９７は、側面視略円弧形状であり、その左端部が閉鎖された略ボックス形状を有している。第１撓み部９７は、窪部１００を備えている。
【０１１９】
窪部１００は、第１撓み部９７の左端部よりもわずかに右方における外周縁から、第１撓み部９７の周方向全域にわたって、径方向内方に向かって窪む溝である。
【０１２０】
第２撓み部９８は、本体部８６の左端部における前上方部分に配置されている。第２撓み部９８は、本体部８６の周方向において、第２切欠溝９６Ｂと第３切欠溝９６Ｃとの間に画定されている。つまり、第２撓み部９８は、側面視略円弧形状であり、その左端部が閉鎖された略ボックス形状を有している。第２撓み部９８は、第２凸部の一例としての第１係止部１０１を備えている。
【０１２１】
第１係止部１０１は、第２撓み部９８の左端部における外周面から、第２撓み部９８の周方向全域にわたって、径方向外方に向かって突出する略突条を有している。第１係止部１０１の左端部における周縁は、面取りされている。また、第１係止部１０１は、第１撓み部９７の窪部１００に対して、左右方向にずれて配置されている。
【０１２２】
第３撓み部９９は、本体部８６の左端部における後上方部分に配置されている。第３撓み部９９は、本体部８６の周方向において、第１切欠溝９６Ａと第３切欠溝９６Ｃとの間に画定されている。つまり、第３撓み部９９は、側面視略円弧形状であり、その左端部が閉鎖された略ボックス形状を有している。第３撓み部９９は、第２凸部の一例としての第２係止部１０２を備えている。
【０１２３】
第２係止部１０２は、第３撓み部９９の左端部における外周面から、第３撓み部９９の周方向全域にわたって、径方向外方向に向かって突出する略突条を有している。第２係止部１０２の左端部における周縁は、面取りされている。また、第２係止部１０２は、第１撓み部９７の窪部１００に対して、左右方向にずれて配置されており、第２撓み部９８の第１係止部１０１に対して、左右方向において同じ位置に配置されている。
【０１２４】
このように、第１撓み部９７と、第２撓み部９８と、第３撓み部９９とは、本体部８６の周方向において、互いに１２０°変位するように等間隔に配置されている。つまり、本体部８６において、窪部１００と、第１係止部１０１と、第２係止部１０２とは、本体部８６の周方向において、互いに１２０°変位するように等間隔に配置されている。また、トナーキャップ５５において、左右方向から見たときに、本体部８６の中心を本体部中心Ｃ１と、後述する固定部８８の挿通穴１０５の中心を固定部中心Ｃ２とする。このとき、トナーキャップ５５において、窪部１００と、第１係止部１０１と、第２係止部１０２とは、左右方向から見たときに、本体部中心Ｃ１および固定部中心Ｃ２を通るようにして、トナーキャップ５５を二分する仮想線Ｘに対して、非線対称となるように配置されている。
【０１２５】
鍔部８７は、トナーキャップ５５の右端部に配置されている。鍔部８７は、本体部８６の外筒９０の右端部における外周縁から、径方向外方に向かって突出する略円環形状を有している。鍔部８７の外径は、筒部６５の外径と略同じである。
【０１２６】
固定部８８は、鍔部８７の外周面の一部から鍔部８７の前上方、すなわち、鍔部８７の周方向外方へ突出している。具体的には、固定部８８は、鍔部８７の周方向において、互いに隣接する第２切欠溝９６Ｂと第３切欠溝９６Ｃとの間に配置されている。固定部８８は、側面視略矩形の板状を有している。固定部８８は、挿通穴１０５と、薄肉部１０６とを備えている。
【０１２７】
挿通穴１０５は、固定部８８を側面視略円形状に貫通している。挿通穴１０５の内径は、挿通部６８の直径と略同じである。
【０１２８】
薄肉部１０６は、固定部８８の基端部、すなわち、固定部８８における鍔部８７との境界部分に配置されている。薄肉部１０６は、固定部８８の延びる方向と直交する方向に沿って、固定部８８の表面および裏面からノッチが形成されることにより、板厚が薄くなっている。
４．トナーの充填
現像カートリッジ１は、図８に示すように、製品として出荷・搬送される前に、現像フレーム２内にトナーが充填される。
【０１２９】
トナーを充填するには、まず、作業者が、現像カートリッジ１を、トナーキャップ５５が取り外された状態で、筒部６５が上方を向くように、その右端部を上方にして配置する。
【０１３０】
そして、作業者は、充填ノズルＮを筒部６５内に挿入し、筒部６５およびトナー充填口６４を介して、トナーを現像フレーム２内に充填する。
５．トナーキャップの組み付け
現像フレーム２内にトナーを充填した後、筒部６５に対してトナーキャップ５５を組み付け、トナー充填口６４を閉鎖する。
【０１３１】
トナーキャップ５５の組み付け作業において、図９および図１０における方向は、図１〜図７における方向と異なり、図１〜図７における左右方向が、上下方向となる。具体的には、図９および図１０中の矢印方向を基準とする。また、トナーキャップ５５の組み付け作業において、トナーキャップ５５が組み付けられる方向を装着方向とする。つまり、図１〜図７においては、右方から左方に向かう方向が装着方向であり、図９および図１０においては、上方から下方に向かう方向が装着方向である。
【０１３２】
筒部６５に対して、トナーキャップ５５を組み付けるには、作業者は、図６に示すように、現像フレーム２に対して、トナーキャップ５５を装着方向上流に配置する。
【０１３３】
このとき、トナーキャップ５５は、図５Ａおよび図６に示すように、装着方向から見たときに、本体部８６の内筒９１が支持部６６と重なり、本体部８６の外筒９０が筒部６５の内周と重なり、固定部８８の挿通穴１０５が、右側壁４８の挿通部６８と一致するように配置する。
【０１３４】
そうすると、図５Ａおよび図５Ｂに示すように、トナーキャップ５５の３つの切欠溝９６のそれぞれが、筒部６５内の対応する連結部６７と重なる。具体的には、第１切欠溝９６Ａが第１連結部６７Ａと重なり、第２切欠溝９６Ｂが第２連結部６７Ｂと重なり、第３切欠溝９６Ｃが第３連結部６７Ｃと重なっている。
【０１３５】
次いで、図９に示すように、トナーキャップ５５を筒部６５に対して押し込む。
【０１３６】
そうすると、本体部８６の第３撓み部９９は、第２係止部１０２がその周面よりも径方向外方に突出していることにより、第２係止部１０２の突出量の分、本体部８６の径方向内方に撓みながら、筒部６５の内周面に摺擦される。また、第１撓み部９７は、本体部８６の径方向内方に撓むことなく、筒部６５の内周面に摺擦される。
【０１３７】
なお、図示しないが、本体部８６の第２撓み部９８は、第１係止部１０１がその周面よりも径方向に突出していることにより、第１係止部１０１の突出量の分、本体部８６の径方向内方に撓みながら、筒部６５の内周面に摺擦される。
【０１３８】
次いで、トナーキャップ５５をさらに押し込むと、第１撓み部９７の装着方向下流端縁がフレーム凸部７１に当接される。第１撓み部９７の装着方向下流端縁が面取りされ、フレーム凸部７１の装着方向上流面が傾斜していることにより、第１撓み部９７は、フレーム凸部７１に乗り上げるようにして、本体部８６の径方向内方に撓みながら押し込まれる。
【０１３９】
そして、さらにトナーキャップ５５を押し込むと、図１および図１０に示すように、第１係止部１０１および第２係止部１０２の筒部６５の内周面に対する当接が解除され、第２撓み部９８および第３撓み部９９が復元される。これにより、第１係止部１０１が角部７２に引っ掛り、第２係止部１０２が段差部７３に引っ掛る。
【０１４０】
また、第１撓み部９７の装着方向下流端部がフレーム凸部７１を乗り越えることにより、第１撓み部９７が復元される。これにより、フレーム凸部７１が窪部１００に対して引っ掛る。
【０１４１】
以上により、トナーキャップ５５の筒部６５に対する組み付け作業が完了する。
【０１４２】
このとき、鍔部８７の装着方向下流端面は、筒部６５の装着方向上流端面と当接されている。また、リング部９５が筒部６５の内周面に圧接されるようにして、トナーキャップ５５が筒部６５に組み付けられることにより、本体部８６の外筒９０の外周面と、筒部６５の内周面との間からトナーが漏れることが抑制されている。
６．作用効果
（１）この現像カートリッジ１によれば、図９および図１０に示すように、トナーキャップ５５が筒部６５に装着されるときには、第１撓み部９７の窪部１００が、筒部６５の内面よりも内方に突出するフレーム凸部７１と係合される。
【０１４３】
従来、トナーキャップ５５を筒部６５に対して確実に組み付けようとすると、トナーキャップ５５の全周に爪を配置し、現像フレーム２にトナーキャップ５５の爪と係合するための係合部を配置する構成が検討される。しかし、トナーの充填効率を確保するために、トナー充填口６４の大きさを維持したまま、現像フレーム２を小型化しようとした場合には、現像フレーム２にトナーキャップ５５の爪と係合する係合部を配置できなくなる不具合がある。
【０１４４】
しかし、この現像カートリッジ１では、筒部６５の内面よりも内方に突出するようにフレーム凸部７１が配置されているので、現像カートリッジ１の小型化を図ることができながら、トナーキャップ５５を筒部６５に確実に装着することができる。
【０１４５】
また、トナーキャップ５５を筒部６５に装着するときには、トナーキャップ５５の装着方向下流端が、フレーム凸部７１と接触するまでは、トナーキャップ５５と筒部６５との間の抵抗の発生を抑制することができる。
【０１４６】
その結果、トナーキャップ５５を筒部６５に対して容易に装着することができる。
（２）また、この現像カートリッジ１によれば、図１および図１０に示すように、トナーキャップ５５は、筒部６５に対して装着されるときに、フレーム凸部７１と係合される窪部１００に加え、角部７２と係合する第１係止部１０１と、段差部７３と係合する第２係止部１０２とを備えているので、トナーキャップ５５を筒部６５に対して確実に装着することができる。
【０１４７】
また、トナーキャップ５５が第１係止部１０１と第２係止部１０２とを備えていることで、トナーキャップ５５を筒部６５に対して装着するときには、図９に示すように、第１係止部１０１と第２係止部１０２が筒部６５の内面と当接するように摺擦されるが、窪部１００が配置されている部分については、抵抗の発生が抑制されているので、トナーキャップ５５の全体に第１係止部１０１と第２係止部１０２が備えられている場合と比較して、トナーキャップ５５を筒部６５に容易に組み付けることができる。
（３）また、この現像カートリッジ１によれば、図４に示すように、右側壁４８は、トナー充填口６４の周縁において、装着方向と直交する方向に沿って筒部６５の内面よりも窪む段差部７３と、筒部６５と現像フレーム２との接続部分からなる角部７２とを備えている。
【０１４８】
そのため、図１に示すように、トナーキャップ５５の第１係止部１０１を、角部７２に対して確実に係合させ、第２係止部１０２を段差部７３に対して確実に係合させることができる。
【０１４９】
その結果、トナーキャップ５５を筒部６５に対して、より確実に装着することができる。
（４）また、この現像カートリッジ１によれば、図９に示すように、窪部１００と第２係止部１０２とが装着方向において互いにずれて配置されている。また、図示しないが、窪部１００と第１係止部１０１とも装着方向においてずれて配置されている。
【０１５０】
これにより、トナーキャップ５５を筒部６５に対して装着するときに、抵抗が発生するタイミングをずらすことができる。
【０１５１】
その結果、トナーキャップ５５を筒部６５に対して装着するときの抵抗を低減することができる。
（５）また、この現像カートリッジ１によれば、図７Ａ〜７Ｄに示すように、トナーキャップ５５が切欠溝９６を有していることにより、トナーキャップ５５を筒部６５に対して装着するときに、抵抗が発生する部分においては、図９に示すように、切欠溝９６の方へ撓ませることができる。
【０１５２】
そのため、トナーキャップ５５を筒部６５に対して装着するときの抵抗を、より低減することができる。
（６）また、この現像カートリッジ１によれば、図５Ａに示すように、固定部８８の挿通穴１０５が現像フレーム２の挿通部６８に挿通され、固定部８８が現像フレーム２に固定されることにより、トナーキャップ５５を筒部６５に対して確実に装着することができる。
【０１５３】
また、図７Ｃに示すように、トナーキャップ５５における窪部１００と第１係止部１０１と第２係止部１０２とは、固定部８８を通り、トナーキャップ５５を二分する仮想線Ｘに対して、非線対称となっている。より具体的には、仮想線Ｘに対して一方側は本体部８６の径方向外方に突出する部分が多く、他方側は本体部８６の径方向内方に窪む部分が多くなっている。そのため、トナーキャップ５５を筒部６５から離脱させるときには、固定部８８が現像フレーム２に固定された状態であるが、トナーキャップ５５を取り外すときには、固定部８８がねじられることにより、ちぎられるようにして、トナーキャップ５５が取り外される。
【０１５４】
そのため、現像フレーム２内のトナー切れのときには、トナーキャップ５５を筒部６５から容易に離脱させることができながら、固定部８８が現像フレーム２の挿通部６８に固定されたままとなることにより、現像フレーム２に対する過去のトナー充填の有無を確認することができる。
（７）また、この現像カートリッジ１によれば、図５Ｂに示すように、装着方向から見たときに、筒部６５の内面において、フレーム凸部７１が配置されている領域が、角部７２と段差部７３とが配置されている領域よりも少ない。
【０１５５】
そのため、図８に示すように、トナーを現像フレーム２内に充填するときに、トナーが、筒部６５の内面よりも径方向内方に突出する部分と接触することを抑制することができる。
【０１５６】
その結果、現像フレーム２内へのトナーの充填効率を下げることなく、容易にトナーを充填することができる。
（８）また、この現像カートリッジ１によれば、図９に示すように、フレーム凸部７１は、装着方向の下流に向かうにつれて、筒部６５の内方に向かって傾斜しているので、トナーキャップ５５を筒部６５に装着するときに、トナーキャップ５５がフレーム凸部７１と当接することにより発生する抵抗を低減することができる。
【０１５７】
そのため、トナーキャップ５５を筒部６５に対して滑らかに組み付けることができる。
【０１５８】
また、トナーを現像フレーム２内に充填するときには、図８に示すように、トナーがフレーム凸部７１の傾斜に沿って流入されるので、充填効率の向上を図ることができる。
（９）また、この現像カートリッジ１によれば、図１０に示すように、トナーキャップ５５の装着方向の下流端部は、装着方向と直交する方向に沿って面一であるので、トナーキャップ５５を装着したときの装着方向の下流に配置されている部材、例えば、アジテータ３などに対して、トナーキャップ５５の装着方向の下流端部全体を近接させることができる。
（１０）また、この現像カートリッジ１によれば、図１０に示すように、筒部６５には、トナーキャップ５５が装着され、筒部６５の強度を確保することができるので、筒部６５の肉厚を薄くして、現像カートリッジ１の小型化を図ることができる。
（１１）また、この現像カートリッジ１によれば、図５Ｂに示すように、筒部６５に対して、電極部材５４を隣接するように配置することで、現像カートリッジ１が大型化することを抑制することができる。
７．変形例
上記した現像カートリッジ１は、本発明のカートリッジの一実施形態であり、本発明は、上記した実施形態に限定されない。
【０１５９】
例えば、略円筒形状の筒部６５に代えて、断面が略矩矩形状や、略三角形状、略楕円形状からなる筒部材を適用することもできる。
【０１６０】
また、トナーキャップ５５に代えて、筒部材の断面形状に合わせて、断面が略矩形状や、略三角形状、略楕円形状からなる蓋部材を適用することもできる。
【符号の説明】
【０１６１】
１      現像カートリッジ
２      現像フレーム
５４    電極部材
５５    トナーキャップ
６５    筒部
７１    フレーム凸部
７２    角部
７３    段差部
８８    固定部
９６    切欠溝
１００  窪部
１０１  第１係止部
１０２  第２係止部
Ｘ      仮想線
【図１】
2015087674.tif 000003
【図２】
2015087674.tif 000004
【図３】
2015087674.tif 000005
【図４】
2015087674.tif 000006
【図５】
2015087674.tif 000007
【図６】
2015087674.tif 000008
【図７】
2015087674.tif 000009
【図８】
2015087674.tif 000010
【図９】
2015087674.tif 000011
【図１０】
2015087674.tif 000012